(57)【要約】      （修正有）【課題】中空空間の設計を通じて重量を効果的に軽減し、軽く、組み立てに便利で操作しやすい特性を備え、かつ必要に応じて長さと排列方式を変えることができ、従来の室内全体の温度と湿度を制御する必要がある室内有機栽培と比較して、植物の根部の管線を制御するだけで容易に温湿度を制御でき、省エネの効果も備える植栽構造体を提供する。【解決手段】植栽構造体は、槽体２と、複数の側面カバー３を含み、槽体が中空空間２４と、植栽空間２５を備え、槽体内に流路２２１が形成され、側面カバーが槽体の側辺を被覆して植栽空間を封鎖し、流路を通じて直接水分または気体の循環輸送を行うことで、植栽空間内の温度と湿度等の生長条件を制御でき、かつ栄養液及び余分な水分を回収し、作物の生長促進と環境保護及び省エネを達成することができる。【選択図】図２
0003218957.tif 000002
【実用新案登録請求の範囲】
【請求項１】
植栽構造体であって、槽体と、該槽体の側辺を被覆する複数の側面カバーを含み、該槽体が少なくとも１つの外壁と、少なくとも１つの内壁、及び底面を備え、該槽体の該外壁と該内壁及び該底面間に中空空間が形成され、該槽体の該内壁間に植栽空間が形成され、該内壁下端に流路が形成されたことを特徴とする、植栽構造体。
【請求項２】
前記槽体がプラスチック材料で一体成型されたことを特徴とする、請求項１に記載の植栽構造体。
【請求項３】
前記槽体が発泡材料または軽量材料で一体成型されたことを特徴とする、請求項１に記載の植栽構造体。
【請求項４】
前記外壁の位置に複数の凹陥部が形成されたことを特徴とする、請求項１に記載の植栽構造体。
【請求項５】
前記槽体と該側面カバーが一体成型されたことを特徴とする、請求項１に記載の植栽構造体。
【請求項６】
前記側面カバーの該流路に相対する位置に通孔が形成され、該通孔上に少なくとも１つの連通管が設置されたことを特徴とする、請求項１に記載の植栽構造体。
【請求項７】
前記底面の位置に複数の底面溝が形成されたことを特徴とする、請求項１に記載の植栽構造体。
【請求項８】
前記側面カバーの該底面溝に相対する位置に複数の連通溝が形成され、該連通溝上に横棒の一端が設置され、該横棒が該底面溝と別の側面カバーの連通溝に同時に結合されたことを特徴とする、請求項７に記載の植栽構造体。
【請求項９】
両側の前記外壁の底部間に少なくとも１つの側面溝が形成され、該側面溝が該連通溝と相互に交差して設置されたことを特徴とする、請求項８に記載の植栽構造体。
【請求項１０】
前記側面カバー上に複数の上面溝が形成されたことを特徴とする、請求項１に記載の植栽構造体。
【請求項１１】
前記側面カバー上に少なくとも１つの軸通孔が形成され、該軸通孔上に軸棒の一端が設置され、該軸棒の他端が別の側面カバーの軸通孔に結合されたことを特徴とする、請求項１に記載の植栽構造体。
【請求項１２】
前記側面カバー上に少なくとも１つの横通孔が形成され、該横通孔上に横棒の一端が設置され、該横棒の他端が別の側面カバーの横通孔に結合されたことを特徴とする、請求項１に記載の植栽構造体。
【請求項１３】
前記側面カバー上に少なくとも１つの凹陥槽が形成されたことを特徴とする、請求項１に記載の植栽構造体。
【請求項１４】
前記上面溝上にスプリンクラー管路が設置されたことを特徴とする、請求項１０に記載の植栽構造体。
【請求項１５】
前記連通管上に少なくとも１つの連結導管が設置されたことを特徴とする、請求項６に記載の植栽構造体。
【請求項１６】
前記流路と前記植栽空間の間に連通路が形成されたことを特徴とする、請求項１に記載の植栽構造体。
【請求項１７】
前記植栽空間内に少なくとも１つの網板が架設されたことを特徴とする、請求項１に記載の植栽構造体。
【考案の詳細な説明】
【技術分野】
【０００１】
本考案は植栽構造体に関し、特に、直接栄養液、水分または気体を循環輸送して生長環境を制御し、作物の生長を促進することができ、かつ効果的に重量を軽減し、強度を維持しながら農作コストを抑え、組み立てが容易である植栽構造体に関する。
【背景技術】
【０００２】
経済の発展と環境の変化に伴い、土壌汚染の問題が深刻さを増しており、また化学肥料の使用で栽培の農作業も影響を受け、食物連鎖に進入した後人体の健康にも影響を与えている。また葉菜類の作物は、その生長期が短く、根が短いため、最も汚染物質を吸収しやすく、また直接農地上に植えられるため、収穫後の洗浄が不便であり、気候の影響を受けやすく、その成長速度を正確に制御することが難しい。このため近年では室内で養液栽培システムを利用した新しい耕作方式が葉菜類作物の栽培に多く運用されている。
【０００３】
現在よく見受けられる養液栽培システムは、ほとんどが単一栽培農法に適した設計となっており、例えば、水耕用の植栽構造体は循環管路を利用して構成され、作物を管路体上に植え、作物の根部を水中に浸け、水中の栄養液を作物の根部に吸収させることで、作物の生長を制御でき、かつ作物に吸収させる養分の品質を決定し、不必要な汚染を回避することができるため、葉菜類の野菜の重要な栽培法となりつつある。
【０００４】
別の従来よく見られる養液栽培方法は、ラックを利用して台を構築し、台上にプランターに花を植えるように複数の鉢状の器を置き、まず培地を器内に充填し、培地上に作物の苗を植えた後、逐次の給水と日光照射の光合成作用により、作物の生長を促進するもので、水または栄養液等は培地上にかけることで、培地による貯蔵と転化を通じ、作物の根部が水分と養分を吸収しやすい環境を作っている。
【０００５】
しかしながら、作物の葉部と根部の耐候性は異なり、一般に、熱帯または亜熱帯の作物の葉部は約４０℃までの温度で緩慢な生長が可能であるが、この温度下で作物の根部が徐々に枯れたり、腐ったりすることがあり、反対に、０℃以下の寒冷地で温室を利用して作物を栽培する場合、温室で限られた保温作用を形成しても、作物の根部の生長に有利な環境に制御することは難しく、作物の生長効果は優れない。
【０００６】
現有の養液栽培法によるシステムは、ほとんどの設計が作物の根部の水分及び養分吸収に有利な環境を作るもので、生長の実際のニーズを真に満たすことができない。一般に作物の根部の生長に適した培地の温度は１２℃〜２８℃の間であり、当然作物の根部の温度は栽培する作物の種類の違いにより若干の差異があるが、現有の養液栽培法によるシステムの技術では、外部温度の影響を大きく受けやすく、冬季の温度及び湿度では低すぎたり、夏季の温度及び湿度では高すぎたりする状況が発生する。このため、一般には温室で保温または放熱を行い、温室内の環境温度を調節して作物の生長に有利にするしかないが、作物の根部の生長に必要な環境温度に効果的に制御することができず、また実際のニーズを真に満たすこともできない。加えて栽培環境を制御しにくいという問題が関連業者による改善が必要な課題となっている。
【０００７】
従来の養液栽培の構造設計は、全体が実心の方式で形成されており、全体強度は充分であるが、相対して全体の重量が比較的重く、設置と施工が不便で複雑であり、組み立て操作が容易ではない。さらに重要なのは、養液栽培用の植栽構造体及び機能の違いに制限され、栽培できる農作物も限られてしまう点であり、また根部の環境制御効果を備えていないため、作物の生長に影響する。
【０００８】
これに鑑み、本考案の考案者は前述の現有の養液栽培システムが直面している問題を詳細に検討し、かつ長年関連産業の研究開発と製作に従事した経験に基づき、解決策を積極的に追求し、努力と研究、試作を重ね、本考案の植栽構造体の開発に成功したものであり、現有の植栽で作物の根部に必要な生長環境に制御しにくいことによる問題と不便さを克服することを意図している。
【考案の概要】
【考案が解決しようとする課題】
【０００９】
上述の問題を効果的に解決するため、本考案の主な目的は、該植栽空間内の温度と湿度等の生長条件を制御し、かつ栄養液及び余分な水分を回収でき、作物または植物の生長を促進するとともに、作物を保護し、農作コストを抑え、生産量を高めることができる、植栽構造体を提供することにある。
【００１０】
本考案の別の目的は、水分、栄養液または有益気体を循環流動させ、不必要な浪費を減少し、環境保護と省エネを達成できる、植栽構造体を提供することにある。
【００１１】
本考案のさらに別の目的は、効果的に重量を軽減し、かつ強度を維持することができる、植栽構造体を提供することにある。
【００１２】
本考案のさらに別の目的は、作物のニーズに合わせて異なる設計ができ、効果的にコストを抑え、組み立てが便利で操作が容易な植栽構造体を提供することにある。
【課題を解決するための手段】
【００１３】
上述の目的を達するため、本考案の植栽構造体は、槽体と、複数の側面カバーを含み、そのうち前記槽体が両側辺の位置にそれぞれ外壁と内壁が形成され、該外壁の頂部が該内壁の頂部に一体として延伸され、また該槽体の該外壁の底部間に底面が形成され、該底面が該外壁の底部に一体として延伸され、該槽体の該外壁と該内壁及び該底面間に中空空間が形成され、該槽体の該両側の内壁間に植栽空間が形成されるとともに、該両側の内壁下端間に流路が一体として延伸されて形成され、また該側面カバーが該槽体の側辺を被覆して該植栽空間を封鎖する。これにより、該植栽構造体は極めて優れた保温効果を備え、外部の温度を遮断し、該植栽空間内に作物の生長を促進する環境を具備させ、作物の根部に必要な温度、湿度等の条件を効果的に制御し、また栄養液及び余分な水分を回収でき、作物の生長を促進する効果を備えており、従来の室内全体の温度と湿度を制御する必要がある室内有機栽培と比較して、この方法は植物の根部の管線に対して制御が必要なだけであるため、制御が容易で環境保護と省エネの効果を発揮でき、作物の保護、生産コストの抑制、作物生長の促進、生産量の向上という効果を備えている。また、該植栽構造体は該中空空間の設計により重量を効果的に軽減し、強度を維持することができ、さらに該植栽構造体は作物のニーズに基づいて異なる設計が可能であるため、効果的にコストを抑えることができる。重量が軽く、組み立てに便利で、操作しやすいという特性を備え、必要に応じて長さと排列方法を変えられるため、異なる金型を製作する必要がなく、生産コストを効果的に削減することができる。
【図面の簡単な説明】
【００１４】
【図１】本考案の最良の実施例の立体外観図である。
【図２】本考案の最良の実施例の立体分解図である。
【図３】本考案の最良の実施例の実施を示す立体外観図１である。
【図４】本考案の最良の実施例の断面図１である。
【図５】本考案の最良の実施例の断面図２である。
【図６】本考案の最良の実施例の断面図３である。
【図７】本考案の最良の実施例の断面図４である。
【図８】本考案の最良の実施例の実施を示す立体外観図２である。
【図９】本考案の最良の実施例の実施を示す立体外観図３である。
【図１０】本考案の最良の実施例の実施を示す立体外観図４である。
【図１１】本考案の最良の実施例の実施を示す立体外観図５である。
【考案を実施するための形態】
【００１５】
図１から図２に本考案の最良の実施例の立体外観図と立体分解図を示す。これらに図からはっきりと分かるように、本考案の植栽構造体１は、槽体２と、複数の側面カバー３を含み、そのうち、該槽体２が少なくとも１つの外壁２１と少なくとも１つの内壁２２及び底面２３を備え、そのうち、該外壁２１が該槽体２の両側辺の位置に形成され、該内壁２２が該槽体２の両側辺の位置に形成されており、かつ該内壁２２の頂部が該外壁２１の頂部と一体として延伸されている。該底面２３が該外壁２１の底部から一体として延伸され、該槽体２の該外壁２１と該内壁２２及び該底面２３間に中空空間２４が形成される。かつ該槽体２はプラスチック材料で一体成型され、かつ該中空空間２４が成型される、または該槽体２は発泡材料または軽量材料で一体成型され、かつ該中空空間２４が成型される。また、該槽体２は該両側の内壁２２間に植栽空間２５が形成される。さらに該両側の内壁２２下端が下方向に流路２２１が一体として延伸され、かつ該外壁２１の位置に複数の凹陥部２１１が形成され、該外壁２１の底部間に少なくとも１つの側面溝２１２が形成されるとともに、該底面２３の位置に複数の底面溝２３１が形成される。また該側面カバー３が該槽体２の側辺を被覆し、かつ該側面カバー３は該槽体２の両側辺に組み付けるか、該槽体２と一体成型することができる。該側面カバー３上には通孔３１と、複数の連通溝３２が形成され、該通孔３１が該流路２２１に対応して相互に組み立てられ、該連通溝３２が底面溝２３１に対応して相互に組み立てられる。該側面溝２１２と該連通溝３２は該底面２３の位置で相互に交差して設置される。さらに、該側面カバー３には複数の上面溝３３と、少なくとも１つの軸通孔３４及び少なくとも１つの横通孔３５、複数の凹陥槽３６が形成され、該上面溝３３が該側面カバー３の上面に形成され、該凹陥槽３６が該凹陥部２１１と相互に組み立てられる。
【００１６】
前述の図面と図３から図７の本考案の最良の実施例の立体外観図１及び断面図１〜４を参照する。該植栽構造体１は、培地耕、土耕、水耕、気耕、滴耕等の栽培方法に使用することができ、該両側の内壁２２は植栽空間２５の位置に少なくとも１つの網板２５１を架設できる。該両側の内壁２２は徐々に窄まる方式で該流路２２１まで延伸されるか、あるいはほぼ水平に内側に延伸されてから徐々に窄まる方式で該流路２２１まで延伸されるか、または該流路２２１上に連通路２２２が形成され、該内壁２２の延伸方式はいずれも該植栽空間２５を該流路２２１まで延伸することができる。また、該槽体２上に少なくとも１つのスプリンクラー管路４が架設され、該スプリンクラー管路４は両側の側面カバー３上の上面溝３３に相対して設置される。また、そのうち該槽体２は該外壁２１と該内壁２２及び該底面２３間に中空空間２４が形成され、かつ該槽体２はプラスチック材料の一体成型で成り、かつ該中空空間２４が成型されていることで、該槽体２の全体重量を効果的に軽減し、かつ強度を維持することができる。また、該外壁２１の位置に該凹陥部２１１が形成され、該側面カバー３上に該凹陥槽３６が形成されており、該凹陥部２１１と該凹陥槽３６が該槽体２の全体強度を効果的に高めることができる。土壌または培地等の植栽体を該植栽空間２５に充填し、作物を植えた後、水分または栄養液或いは薬剤等の液体を該流路２２１内に注入するか、或いは該側面カバー３上の通孔３１上に連通管５を取り付け、該水分または栄養液或いは薬剤等の液体を連通管５から該流路２２１内に注入することができ、その液体が流路２２１内で流動して揮発する水気が該連通路２２２から植栽空間２５へ移動し、植栽空間２５上の作物の根部に吸収させることで、該植栽作物の根部に流路２２１の水分及び養分或いは薬剤成分を直接吸収させることができる。また、該根部の通気性を良好にして根部の病害を効果的に回避し、根部の吸収能力を強化して、作物の生長を効果的に促進することができる。また、高温に耐えられない作物を栽培する場合、該流路２２１内に温度を下げる液体を注入し、作物の安定的な成長を補助することができ、また低温に耐えられない作物を栽培する場合、該流路２２１内に温度を上げる液体を注入し、同様に作物の安定的な成長を補助することができる。これにより室内全体の温度と湿度の制御と周囲環境の降温または換気に要するエネルギーコストの問題を解決し、植物の根部の管線を制御するだけでよいため、容易な制御と省エネの効果を達成することができる。また、該槽体２が相対的な保温効果を備えているため、該植栽空間２５内の温度と湿度等の生長条件を制御でき、かつ栄養液及び余分な水分を回収することも可能で、作物の生長を促進し、環境保護と省エネの効果を達するとともに、作物の保護、生産コストの抑制、生産量の向上の効果も備えている。
【００１７】
前述の図と図８から図１１の本考案の最良の実施例の実施を示す立体外観図２から５を参照する。複数の該植栽構造体１間は水平と垂直の方式で相互に結合することができ、そのうち、該植栽構造体１を水平の縦方向に結合したいときは、該連通管５を利用して相隣する植栽構造体１を連結し、該各植栽構造体１間の流路２２１を相互に連通させ、同時に該底面溝２３１が該連通溝３２に連通され、該連通溝３２上に横棒６の一端が設置され、該横棒６が同時に該底面溝２３１と別の側面カバー３の連通溝３２上に結合される。また、該植栽構造体１を水平の横方向に結合したいときは、該側面カバー３上の横通孔３５に少なくとも１つの横棒６の一端を設置し、その他端を別の側面カバー３の横通孔３５上に結合することができる。さらに、該植栽構造体１を垂直に結合したいときは、該側面カバー３上の軸通孔３４の位置に軸棒７の一端を設置し、その他端を別の側面カバー３の軸通孔３４上に結合することができる。前述の各植栽構造体１の連通管５上にはさらに連結導管８を設置し、該各植栽構造体１間の流路２２１を相互に連通させることができる。これにより、軽く、組み立てに便利で操作しやすい特性を達成でき、かつ必要に応じて長さと排列方式を変えることが可能であるため、異なる金型を製作する必要がなく、生産コストを効果的に抑えることができる。
【００１８】
以上は本考案の最良の実施例を挙げたものであり、本考案を限定するものではなく、形状や配置形態の変更や、各種の変化、修飾、応用が生じる同等効果の作用など、本考案の構想に基づいた変更が本考案の要旨の範囲を逸脱しない場合、本考案の権利範囲内に含まれる。
【符号の説明】
【００１９】
１        植栽構造体
２        槽体
２１      外壁 
２１１    凹陥部 
２１２    側面溝
２２      内壁
２２１    流路
２２２    連通路
２３      底面
２３１    底面溝 
２４      中空空間
２５      植栽空間
２５１    網板 
３        側面カバー
３１      通孔 
３２      連通溝 
３３      上面溝 
３４      軸通孔 
３５      横通孔 
３６      凹陥槽 
４        スプリンクラー管路
５        連通管 
６        横棒 
７        軸棒 
８        連結導管
【図１】
0003218957.tif 000003
【図２】
0003218957.tif 000004
【図３】
0003218957.tif 000005
【図４】
0003218957.tif 000006
【図５】
0003218957.tif 000007
【図６】
0003218957.tif 000008
【図７】
0003218957.tif 000009
【図８】
0003218957.tif 000010
【図９】
0003218957.tif 000011
【図１０】
0003218957.tif 000012
【図１１】
0003218957.tif 000013
【手続補正書】
【提出日】平成30年9月18日(2018.9.18)
【手続補正１】
【補正対象書類名】明細書
【補正対象項目名】全文
【補正方法】変更
【補正の内容】
【考案の詳細な説明】
【技術分野】
【０００１】
本考案は植栽構造体に関し、特に、直接栄養液、水分または気体を循環輸送して生長環境を制御し、作物の生長を促進することができ、かつ効果的に重量を軽減し、強度を維持しながら農作コストを抑え、組み立てが容易である植栽構造体に関する。
【背景技術】
【０００２】
経済の発展と環境の変化に伴い、土壌汚染の問題が深刻さを増しており、また化学肥料の使用で栽培の農作業も影響を受け、食物連鎖に進入した後人体の健康にも影響を与えている。また葉菜類の作物は、その生長期が短く、根が短いため、最も汚染物質を吸収しやすく、また直接農地上に植えられるため、収穫後の洗浄が不便であり、気候の影響を受けやすく、その成長速度を正確に制御することが難しい。このため近年では室内で養液栽培システムを利用した新しい耕作方式が葉菜類作物の栽培に多く運用されている。
【０００３】
現在よく見受けられる養液栽培システムは、ほとんどが単一栽培農法に適した設計となっており、例えば、水耕用の植栽構造体は循環管路を利用して構成され、作物を管路体上に植え、作物の根部を水中に浸け、水中の栄養液を作物の根部に吸収させることで、作物の生長を制御でき、かつ作物に吸収させる養分の品質を決定し、不必要な汚染を回避することができるため、葉菜類の野菜の重要な栽培法となりつつある。
【０００４】
別の従来よく見られる養液栽培方法は、ラックを利用して台を構築し、台上にプランターに花を植えるように複数の鉢状の器を置き、まず培地を器内に充填し、培地上に作物の苗を植えた後、逐次の給水と日光照射の光合成作用により、作物の生長を促進するもので、水または栄養液等は培地上にかけることで、培地による貯蔵と転化を通じ、作物の根部が水分と養分を吸収しやすい環境を作っている。
【０００５】
しかしながら、作物の葉部と根部の耐候性は異なり、一般に、熱帯または亜熱帯の作物の葉部は約４０℃までの温度で緩慢な生長が可能であるが、この温度下で作物の根部が徐々に枯れたり、腐ったりすることがあり、反対に、０℃以下の寒冷地で温室を利用して作物を栽培する場合、温室で限られた保温作用を形成しても、作物の根部の生長に有利な環境に制御することは難しく、作物の生長効果は優れない。
【０００６】
現有の養液栽培法によるシステムは、ほとんどの設計が作物の根部の水分及び養分吸収に有利な環境を作るもので、生長の実際のニーズを真に満たすことができない。一般に作物の根部の生長に適した培地の温度は１２℃〜２８℃の間であり、当然作物の根部の温度は栽培する作物の種類の違いにより若干の差異があるが、現有の養液栽培法によるシステムの技術では、外部温度の影響を大きく受けやすく、冬季の温度及び湿度では低すぎたり、夏季の温度及び湿度では高すぎたりする状況が発生する。このため、一般には温室で保温または放熱を行い、温室内の環境温度を調節して作物の生長に有利にするしかないが、作物の根部の生長に必要な環境温度に効果的に制御することができず、また実際のニーズを真に満たすこともできない。加えて栽培環境を制御しにくいという問題が関連業者による改善が必要な課題となっている。
【０００７】
従来の養液栽培の構造設計は、全体が実心の方式で形成されており、全体強度は充分であるが、相対して全体の重量が比較的重く、設置と施工が不便で複雑であり、組み立て操作が容易ではない。さらに重要なのは、養液栽培用の植栽構造体及び機能の違いに制限され、栽培できる農作物も限られてしまう点であり、また根部の環境制御効果を備えていないため、作物の生長に影響する。
【０００８】
これに鑑み、本考案の考案者は前述の現有の養液栽培システムが直面している問題を詳細に検討し、かつ長年関連産業の研究開発と製作に従事した経験に基づき、解決策を積極的に追求し、努力と研究、試作を重ね、本考案の植栽構造体の開発に成功したものであり、現有の植栽で作物の根部に必要な生長環境に制御しにくいことによる問題と不便さを克服することを意図している。
【考案の概要】
【考案が解決しようとする課題】
【０００９】
上述の問題を効果的に解決するため、本考案の主な目的は、前記植栽空間内の温度と湿度等の生長条件を制御し、かつ栄養液及び余分な水分を回収でき、作物または植物の生長を促進するとともに、作物を保護し、農作コストを抑え、生産量を高めることができる、植栽構造体を提供することにある。
【００１０】
本考案の別の目的は、水分、栄養液または有益気体を循環流動させ、不必要な浪費を減少し、環境保護と省エネを達成できる、植栽構造体を提供することにある。
【００１１】
本考案のさらに別の目的は、効果的に重量を軽減し、かつ強度を維持することができる、植栽構造体を提供することにある。
【００１２】
本考案のさらに別の目的は、作物のニーズに合わせて異なる設計ができ、効果的にコストを抑え、組み立てが便利で操作が容易な植栽構造体を提供することにある。
【課題を解決するための手段】
【００１３】
上述の目的を達するため、本考案の植栽構造体は、槽体と、複数の側面カバーを含み、そのうち前記槽体が両側辺の位置にそれぞれ外壁と内壁が形成され、前記外壁の頂部が前記内壁の頂部に一体として延伸され、また前記槽体の前記外壁の底部間に底面が形成され、前記底面が前記外壁の底部に一体として延伸され、前記槽体の前記外壁と前記内壁及び前記底面間に中空空間が形成され、前記槽体の前記両側の内壁間に植栽空間が形成されるとともに、前記両側の内壁下端間に流路が一体として延伸されて形成され、また前記側面カバーが前記槽体の側辺を被覆して前記植栽空間を封鎖する。これにより、前記植栽構造体は極めて優れた保温効果を備え、外部の温度を遮断し、前記植栽空間内に作物の生長を促進する環境を具備させ、作物の根部に必要な温度、湿度等の条件を効果的に制御し、また栄養液及び余分な水分を回収でき、作物の生長を促進する効果を備えており、従来の室内全体の温度と湿度を制御する必要がある室内有機栽培と比較して、この方法は植物の根部の管線に対して制御が必要なだけであるため、制御が容易で環境保護と省エネの効果を発揮でき、作物の保護、生産コストの抑制、作物生長の促進、生産量の向上という効果を備えている。また、前記植栽構造体は前記中空空間の設計により重量を効果的に軽減し、強度を維持することができ、さらに前記植栽構造体は作物のニーズに基づいて異なる設計が可能であるため、効果的にコストを抑えることができる。重量が軽く、組み立てに便利で、操作しやすいという特性を備え、必要に応じて長さと排列方法を変えられるため、異なる金型を製作する必要がなく、生産コストを効果的に削減することができる。
【図面の簡単な説明】
【００１４】
【図１】本考案の最良の実施例の立体外観図である。
【図２】本考案の最良の実施例の立体分解図である。
【図３】本考案の最良の実施例の実施を示す立体外観図１である。
【図４】本考案の最良の実施例の断面図１である。
【図５】本考案の最良の実施例の断面図２である。
【図６】本考案の最良の実施例の断面図３である。
【図７】本考案の最良の実施例の断面図４である。
【図８】本考案の最良の実施例の実施を示す立体外観図２である。
【図９】本考案の最良の実施例の実施を示す立体外観図３である。
【図１０】本考案の最良の実施例の実施を示す立体外観図４である。
【図１１】本考案の最良の実施例の実施を示す立体外観図５である。
【考案を実施するための形態】
【００１５】
図１から図２に本考案の最良の実施例の立体外観図と立体分解図を示す。これらに図からはっきりと分かるように、本考案の植栽構造体１は、槽体２と、複数の側面カバー３を含み、そのうち、前記槽体２が少なくとも１つの外壁２１と少なくとも１つの内壁２２及び底面２３を備え、そのうち、前記外壁２１が前記槽体２の両側辺の位置に形成され、前記内壁２２が前記槽体２の両側辺の位置に形成されており、かつ前記内壁２２の頂部が前記外壁２１の頂部と一体として延伸されている。前記底面２３が前記外壁２１の底部から一体として延伸され、前記槽体２の前記外壁２１と前記内壁２２及び前記底面２３間に中空空間２４が形成される。かつ前記槽体２はプラスチック材料で一体成型され、かつ前記中空空間２４が成型される、または前記槽体２は発泡材料または軽量材料で一体成型され、かつ前記中空空間２４が成型される。また、前記槽体２は前記両側の内壁２２間に植栽空間２５が形成される。さらに前記両側の内壁２２下端が下方向に流路２２１が一体として延伸され、かつ前記外壁２１の位置に複数の凹陥部２１１が形成され、前記外壁２１の底部間に少なくとも１つの側面溝２１２が形成されるとともに、前記底面２３の位置に複数の底面溝２３１が形成される。また前記側面カバー３が前記槽体２の側辺を被覆し、かつ前記側面カバー３は前記槽体２の両側辺に組み付けるか、前記槽体２と一体成型することができる。前記側面カバー３上には通孔３１と、複数の連通溝３２が形成され、前記通孔３１が前記流路２２１に対応して相互に組み立てられ、前記連通溝３２が底面溝２３１に対応して相互に組み立てられる。前記側面溝２１２と前記連通溝３２は前記底面２３の位置で相互に交差して設置される。さらに、前記側面カバー３には複数の上面溝３３と、少なくとも１つの軸通孔３４及び少なくとも１つの横通孔３５と、複数の凹溝３６とが形成されている。前記上面溝３３がそれぞれ前記側面カバー３の上面に形成され、前記凹溝３６がそれぞれ前記側面カバー３の両側面に外観面から凹陥する直線状にするように形成されている。前記凹溝３６が前記凹陥部２１１と相互に組み立てられる。
【００１６】
前述の図面と図３から図７の本考案の最良の実施例の立体外観図１及び断面図１〜４を参照する。前記植栽構造体１は、培地耕、土耕、水耕、気耕、滴耕等の栽培方法に使用することができ、前記両側の内壁２２は植栽空間２５の位置に少なくとも１つの網板２５１を架設できる。前記両側の内壁２２は徐々に窄まる方式で前記流路２２１まで延伸されるか、あるいはほぼ水平に内側に延伸されてから徐々に窄まる方式で前記流路２２１まで延伸されるか、または前記流路２２１上に連通路２２２が形成され、前記内壁２２の延伸方式はいずれも前記植栽空間２５を前記流路２２１まで延伸することができる。また、前記槽体２上に少なくとも１つのスプリンクラー管路４が架設され、前記スプリンクラー管路４は両側の側面カバー３上の上面溝３３に相対して設置される。また、そのうち前記槽体２は前記外壁２１と前記内壁２２及び前記底面２３間に中空空間２４が形成され、かつ前記槽体２はプラスチック材料の一体成型で成り、かつ前記中空空間２４が成型されていることで、前記槽体２の全体重量を効果的に軽減し、かつ強度を維持することができる。また、前記外壁２１の外表面にはその強度を高めるための前記凹陥部２１１が形成されており、前記側面カバー３の両側面には外観面から凹陥する直線状の凹溝３６が形成されている。これにより、前記凹陥部２１１と前記凹溝３６とを互いに連接して組合わせることで、前記槽体２の全体強度を効果的に高めることができるようになっている。土壌または培地等の植栽体を前記植栽空間２５に充填し、作物を植えた後、水分または栄養液或いは薬剤等の液体を前記流路２２１内に注入するか、或いは前記側面カバー上の通孔３１上に連通管５を取り付け、前記水分または栄養液或いは薬剤等の液体を連通管５から前記流路２２１内に注入することができ、その液体が流路２２１内で流動して揮発する水気が前記連通路２２２から植栽空間２５へ移動し、植栽空間２５上の作物の根部に吸収させることで、前記植栽作物の根部に流路２２１の水分及び養分或いは薬剤成分を直接吸収させることができる。また、前記根部の通気性を良好にして根部の病害を効果的に回避し、根部の吸収能力を強化して、作物の生長を効果的に促進することができる。また、高温に耐えられない作物を栽培する場合、前記流路２２１内に温度を下げる液体を注入し、作物の安定的な成長を補助することができ、また低温に耐えられない作物を栽培する場合、前記流路２２１内に温度を上げる液体を注入し、同様に作物の安定的な成長を補助することができる。これにより室内全体の温度と湿度の制御と周囲環境の降温または換気に要するエネルギーコストの問題を解決し、植物の根部の管線を制御するだけでよいため、容易な制御と省エネの効果を達成することができる。また、前記槽体２が相対的な保温効果を備えているため、前記植栽空間２５内の温度と湿度等の生長条件を制御でき、かつ栄養液及び余分な水分を回収することも可能で、作物の生長を促進し、環境保護と省エネの効果を達するとともに、作物の保護、生産コストの抑制、生産量の向上の効果も備えている。
【００１７】
前述の図と図８から図１１の本考案の最良の実施例の実施を示す立体外観図２から５を参照する。複数の前記植栽構造体１間は水平と垂直の方式で相互に結合することができ、そのうち、前記植栽構造体１を水平の縦方向に結合したいときは、前記連通管５を利用して相隣する植栽構造体１を連結し、前記各植栽構造体１間の流路２２１を相互に連通させ、同時に前記底面溝２３１が前記連通溝３２に連通され、前記連通溝３２上に横棒６の一端が設置され、前記横棒６が同時に前記底面溝２３１と別の側面カバー３の連通溝３２上に結合される。また、前記植栽構造体１を水平の横方向に結合したいときは、前記側面カバー３上の横通孔３５に少なくとも１つの横棒６の一端を設置し、その他端を別の側面カバー３の横通孔３５上に結合することができる。さらに、前記植栽構造体１を垂直に結合したいときは、前記側面カバー３上の軸通孔３４の位置に軸棒７の一端を設置し、その他端を別の側面カバー３の軸通孔３４上に結合することができる。前述の各植栽構造体１にはさらに連通管５と接続する連結導管８を設置している。前記連結導管は中空の管状体である。連通管５を連結導管８に接続することで、前記各植栽構造体１間の流路２２１を相互に連通させることができる。これにより、軽く、組み立てに便利で操作しやすい特性を達成でき、かつ必要に応じて長さと排列方式を変えることが可能であるため、異なる金型を製作する必要がなく、生産コストを効果的に抑えることができる。
【００１８】
以上は本考案の最良の実施例を挙げたものであり、本考案を限定するものではなく、形状や配置形態の変更や、各種の変化、修飾、応用が生じる同等効果の作用など、本考案の構想に基づいた変更が本考案の要旨の範囲を逸脱しない場合、本考案の権利範囲内に含まれる。
【符号の説明】
【００１９】
１        植栽構造体
２        槽体
２１      外壁 
２１１    凹陥部 
２１２    側面溝
２２      内壁
２２１    流路
２２２    連通路
２３      底面
２３１    底面溝 
２４      中空空間
２５      植栽空間
２５１    網板 
３        側面カバー
３１      通孔 
３２      連通溝 
３３      上面溝 
３４      軸通孔 
３５      横通孔 
３６      凹溝 
４        スプリンクラー管路
５        連通管 
６        横棒 
７        軸棒 
８        連結導管
【手続補正２】
【補正対象書類名】実用新案登録請求の範囲
【補正対象項目名】全文
【補正方法】変更
【補正の内容】
【実用新案登録請求の範囲】
【請求項１】
植栽構造体であって、槽体と、前記槽体の側辺を被覆する複数の側面カバーを含み、前記槽体が少なくとも１つの外壁と、少なくとも１つの内壁、及び底面を備え、前記槽体の前記外壁と前記内壁及び前記底面間に中空空間が形成され、前記槽体の前記内壁間に植栽空間が形成され、前記内壁下端に流路が形成されたことを特徴とする、植栽構造体。
【請求項２】
前記槽体がプラスチック材料で一体成型されたことを特徴とする、請求項１に記載の植栽構造体。
【請求項３】
前記槽体が発泡材料または軽量材料で一体成型されたことを特徴とする、請求項１に記載の植栽構造体。
【請求項４】
前記外壁の位置に複数の凹陥部が形成されたことを特徴とする、請求項１に記載の植栽構造体。
【請求項５】
前記槽体と前記側面カバーが一体成型されたことを特徴とする、請求項１に記載の植栽構造体。
【請求項６】
前記側面カバーの前記流路に相対する位置に通孔が形成され、前記通孔に少なくとも１つの連通管が設置されたことを特徴とする、請求項１に記載の植栽構造体。
【請求項７】
前記底面の位置に複数の底面溝が形成されたことを特徴とする、請求項１に記載の植栽構造体。
【請求項８】
前記側面カバーの前記底面溝に相対する位置に複数の連通溝が形成され、前記連通溝に横棒の一端が設置され、前記横棒が前記底面溝と別の側面カバーの連通溝に同時に結合されたことを特徴とする、請求項７に記載の植栽構造体。
【請求項９】
両側の前記外壁の底部間に少なくとも１つの側面溝が形成され、前記側面溝が前記連通溝と相互に交差して設置されたことを特徴とする、請求項８に記載の植栽構造体。
【請求項１０】
前記側面カバーに複数の上面溝が形成されたことを特徴とする、請求項１に記載の植栽構造体。
【請求項１１】
前記側面カバー上に少なくとも１つの軸通孔が形成され、前記軸通孔に軸棒の一端が設置され、前記軸棒の他端が別の側面カバーの軸通孔に結合されたことを特徴とする、請求項１に記載の植栽構造体。
【請求項１２】
前記側面カバー上に少なくとも１つの横通孔が形成され、前記横通孔に横棒の一端が設置され、前記横棒の他端が別の側面カバーの横通孔に結合されたことを特徴とする、請求項１に記載の植栽構造体。
【請求項１３】
前記側面カバーの両側面に外観面から凹陥する直線状の少なくとも１つの凹溝が形成されたことを特徴とする、請求項１に記載の植栽構造体。
【請求項１４】
前記上面溝上にスプリンクラー管路が設置されたことを特徴とする、請求項１０に記載の植栽構造体。
【請求項１５】
前記連通管に中空の管状体である少なくとも１つの連結導管が設置されたことを特徴とする、請求項６に記載の植栽構造体。
【請求項１６】
前記流路と前記植栽空間の間に連通路が形成されたことを特徴とする、請求項１に記載の植栽構造体。
【請求項１７】
前記植栽空間内に少なくとも１つの網板が架設されたことを特徴とする、請求項１に記載の植栽構造体。